(57)【要約】【課題】制限台数付きの著作権コンテンツをオフライン機器で共有するシーンにおいて、不正行為を防ぐ方法がなかった。【解決手段】コンテンツ管理装置であって、コンテンツとコンテンツを再生可能な端末装置の最大数である再生端末装置制限台数を保持するコンテンツ保持手段と、コンテンツを再生可能な端末情報を記載した端末リストを保持する端末リスト保持手段と、端末リストに含まれる端末情報から構成される部分端末リストを作成する部分端末リスト生成手段と、部分端末リストを外部へ出力するアクセス手段と、外部へ出力した部分端末リストに含まれない端末情報の削除処理を行う端末リスト更新手段と、外部へ出力した部分端末リストが削除されたことを検知した場合に、部分端末リストの中の削除された端末情報を、端末リストから削除が再度出来るようにするロック情報制御手段とを備える。【選択図】図１
2007299140.tif 000002
【特許請求の範囲】
【請求項１】
コンテンツを管理するコンテンツ管理装置であって、
前記コンテンツと前記コンテンツを再生可能な端末装置の最大数である再生端末装置制限台数を保持するコンテンツ保持手段と、
前記コンテンツを再生可能な一以上の端末情報を記載した端末リストを保持する端末リスト保持手段と、
前記端末リストに含まれる一以上の前記端末情報から構成される部分端末リストを作成する部分端末リスト生成手段と、
前記部分端末リストを外部へ出力するアクセス手段と、
外部へ出力した前記部分端末リストに含まれない前記端末情報に限り、前記端末情報の削除処理を行う端末リスト更新手段と、
外部へ出力した前記部分端末リストが削除されたことを検知した場合に、前記部分端末リストの中の削除された前記端末情報を、前記端末リストから削除が再度出来るようにするロック情報制御手段と、
を備えることを特徴とする、コンテンツ管理装置。
【請求項２】
前記コンテンツ管理装置は、さらに、
作成した前記部分端末リストに含まれる前記端末情報に対して、前記端末リストから一時的に削除が出来ない期限であるロック状態有効期間情報と、前記コンテンツを再生可能な回数である再生許可回数を生成し、前記ロック状態有効期間情報は前記端末リスト保持手段で保持させ、前記再生許可回数は前記部分端末リストとともに外部へ出力する再生制御情報生成手段と、
を備えることを特徴とする、請求項１に記載のコンテンツ管理装置。
【請求項３】
前記再生制御情報生成手段は、
前記コンテンツのコンテンツ種別に依存して、前記ロック状態有効期間情報、及び前記再生許可回数を変える、
ことを特徴とする、請求項２に記載のコンテンツ管理装置。
【請求項４】
前記再生制御情報生成手段は、
前記コンテンツ種別のそれぞれに対応する前記ロック状態有効期間情報、及び前記再生許可回数を保持する、
ことを特徴とする、請求項３に記載のコンテンツ管理装置。
【請求項５】
前記再生制御情報生成手段は、
前記コンテンツのコンテンツオーナーに依存して、前記ロック状態有効期間情報、及び前記再生許可回数を変える、
ことを特徴とする、請求項２に記載のコンテンツ管理装置。
【請求項６】
前記コンテンツ保持手段は、さらに、
前記コンテンツに対応して前記ロック状態有効期間情報、及び前記再生許可回数を保持する、
ことを特徴とする、請求項５に記載のコンテンツ管理装置。
【請求項７】
前記再生制御情報生成手段は、
ユーザの選択肢に依存して、前記ロック状態有効期間情報、及び前記再生許可回数を変える、
ことを特徴とする、請求項２に記載のコンテンツ管理装置。
【請求項８】
前記再生制御情報生成手段は、
複数の前記ロック状態有効期間情報、及び対応する前記再生許可回数を保持し、何れかをユーザが選択可能である、
ことを特徴とする、請求項７に記載のコンテンツ管理装置。
【請求項９】
前記コンテンツ管理装置は、
ネットワークを介してサーバと接続されており、前記サーバから前記コンテンツを購入することが出来る、
ことを特徴とする、請求項１に記載のコンテンツ管理装置。
【請求項１０】
前記アクセス手段は、前記部分端末リストを外部の可搬媒体へ出力すること、
を特徴とする、請求項１に記載のコンテンツ管理装置。
【請求項１１】
コンテンツを管理するコンテンツ管理方法であって、
前記コンテンツと前記コンテンツを再生可能な端末装置の最大数である再生端末装置制限台数を保持するコンテンツ保持ステップと、
前記コンテンツを再生可能な一以上の端末情報を記載した端末リストを保持する端末リスト保持ステップと、
前記端末リストに含まれる一以上の前記端末情報から構成される部分端末リストを作成する部分端末リスト生成ステップと、
前記部分端末リストを外部へ出力するアクセスステップと、
外部へ出力した前記部分端末リストに含まれない前記端末情報に限り、前記端末情報の削除処理を行う端末リスト更新ステップと、
外部へ出力した前記部分端末リストが削除されたことを検知した場合に、前記部分端末リストの中の削除された前記端末情報を、前記端末リストから削除が再度出来るようにするロック情報制御ステップと、
を含むことを特徴とする、コンテンツ管理方法。
【請求項１２】
コンテンツを管理するコンテンツ管理プログラムであって、
前記コンテンツと前記コンテンツを再生可能な端末装置の最大数である再生端末装置制限台数を保持するコンテンツ保持ステップと、
前記コンテンツを再生可能な一以上の端末情報を記載した端末リストを保持する端末リスト保持ステップと、
前記端末リストに含まれる一以上の前記端末情報から構成される部分端末リストを作成する部分端末リスト生成ステップと、
前記部分端末リストを外部へ出力するアクセスステップと、
外部へ出力した前記部分端末リストに含まれない前記端末情報に限り、前記端末情報の削除処理を行う端末リスト更新ステップと、
外部へ出力した前記部分端末リストが削除されたことを検知した場合に、前記部分端末リストの中の削除された前記端末情報を、前記端末リストから削除が再度出来るようにするロック情報制御ステップと、
を含むことを特徴とする、コンテンツ管理プログラム。
【請求項１３】
請求項１２に記載のプログラムを記録した媒体。
【請求項１４】
コンテンツを管理するコンテンツ管理装置における集積回路であって、
前記コンテンツ管理装置は、一以上の端末情報から構成される部分端末リストを外部へ出力するアクセス手段と、を備え、
前記集積回路は、
前記コンテンツと前記コンテンツを再生可能な端末装置の最大数である再生端末装置制限台数を保持するコンテンツ保持手段と、
前記コンテンツを再生可能な一以上の端末情報を記載した端末リストを保持する端末リスト保持手段と、
前記端末リストに含まれる一以上の前記端末情報から構成される前記部分端末リストを作成する部分端末リスト生成手段と、
外部へ出力した前記部分端末リストに含まれない前記端末情報に限り、前記端末情報の削除処理を行う端末リスト更新手段と、
外部へ出力した前記部分端末リストが削除されたことを検知した場合に、前記部分端末リストの中の削除された前記端末情報を、前記端末リストから削除が再度出来るようにするロック情報制御手段と、
を備えることを特徴とする、集積回路。
【請求項１５】
コンテンツを再生するコンテンツ再生端末装置に挿入される可搬媒体であって、
前記可搬媒体は、
前記可搬媒体を一意に特定する識別子である媒体識別情報を保持する媒体識別情報保持手段と、
前記コンテンツを保持するコンテンツ保持手段と、
前記コンテンツを再生可能な一以上の端末情報を記載した部分端末リストを保持する部分端末リスト保持手段と、
前記コンテンツ再生端末装置を一意に特定する識別子である端末識別子、及び前記部分端末リストをもとに、前記コンテンツ再生端末装置で前記コンテンツの再生を許可するか否かを判定する再生条件判定手段と、
を備えることを特徴とする可搬媒体。
【請求項１６】
前記可搬媒体は、さらに、
前記コンテンツ再生端末装置で前記コンテンツを再生可能な残り回数である再生許可回数を保持する再生制御情報保持手段と、
前記コンテンツ再生端末装置で前記コンテンツを再生する度に、前記再生許可回数を１減らす再生制御情報更新手段と、
を備えることを特徴とする、請求項１５に記載の可搬媒体。
【請求項１７】
前記可搬媒体は、さらに、
前記コンテンツ再生端末装置において、前記コンテンツ保持手段で保持する前記コンテンツが存在しない場合に、前記コンテンツを前記コンテンツ再生端末装置へ出力するコンテンツコピー処理手段と、
を備えることを特徴とする、請求項１５記載の可搬媒体。
【請求項１８】
コンテンツ再生端末装置におけるコンテンツ再生許可を判定するコンテンツ再生許可判定方法であって、
前記可搬媒体を一意に特定する識別子である媒体識別情報を保持する媒体識別情報保持ステップと、
前記コンテンツを保持するコンテンツ保持ステップと、
前記コンテンツを再生可能な一以上の端末情報を記載した部分端末リストを保持する部分端末リスト保持ステップと、
前記コンテンツ再生端末装置を一意に特定する識別子である端末識別子、及び前記部分端末リストをもとに、前記コンテンツ再生端末装置で前記コンテンツの再生を許可するか否かを判定する再生条件判定ステップと、
を含むことを特徴とするコンテンツ再生許可判定方法。
【請求項１９】
コンテンツ再生端末装置におけるコンテンツ再生許可を判定するコンテンツ再生許可判定プログラムであって、
可搬媒体を一意に特定する識別子である媒体識別情報を保持する媒体識別情報保持ステップと、
コンテンツを保持するコンテンツ保持ステップと、
前記コンテンツを再生可能な一以上の端末情報を記載した部分端末リストを保持する部分端末リスト保持ステップと、
前記コンテンツ再生端末装置を一意に特定する識別子である端末識別子、及び
前記部分端末リストをもとに、前記コンテンツ再生端末装置で前記コンテンツの再生を許可するか否かを判定する再生条件判定ステップと、
を含むことを特徴とするコンテンツ再生許可判定プログラム。
【請求項２０】
請求項１９に記載のプログラムを記録した媒体。
【請求項２１】
コンテンツを再生するコンテンツ再生端末装置に挿入される可搬媒体における集積回路であって、
前記可搬媒体を一意に特定する識別子である媒体識別情報を保持する媒体識別情報保持手段と、
前記コンテンツを保持するコンテンツ保持手段と、
前記コンテンツを再生可能な一以上の端末情報を記載した部分端末リストを保持する部分端末リスト保持手段と、
前記コンテンツ再生端末装置を一意に特定する識別子である端末識別子、及び前記部分端末リストをもとに、前記コンテンツ再生端末装置で前記コンテンツの再生を許可するか否かを判定する再生条件判定手段と、
を備えることを特徴とする集積回路。
【請求項２２】
コンテンツを再生するコンテンツ再生端末装置であって、
前記コンテンツ再生端末装置は可搬媒体を挿入可能であって、
前記コンテンツ再生端末装置は、
前記コンテンツ再生端末装置を一意に特定する識別子である端末識別情報を保持する端末情報保持手段と、
前記可搬媒体に対して、前記コンテンツの再生が許可されるか判定を依頼する信号であるコンテンツ再生許可判定信号を出力し、許可された場合に限り、前記コンテンツを再生する再生手段と、
を備えることを特徴とするコンテンツ再生端末装置。
【請求項２３】
前記コンテンツ再生端末装置は、さらに、
前記コンテンツを保持するコンテンツ保持手段と、
を備えることを特徴とする、請求項２２に記載のコンテンツ再生端末装置。
【請求項２４】
前記コンテンツ再生端末装置は、
ネットワークに接続されていないこと、
を特徴とする、請求項２３に記載のコンテンツ再生端末装置。
【請求項２５】
前記コンテンツは、音声コンテンツもしくは動画コンテンツであること、
を特徴とする、請求項２２に記載のコンテンツ再生端末装置。
【請求項２６】
コンテンツを再生するコンテンツ再生方法であって、
前記コンテンツ再生方法は、
前記コンテンツ再生端末装置を一意に特定する識別子である端末識別情報を保持する端末情報保持ステップと、
可搬媒体に対して、前記コンテンツの再生が許可されるか判定を依頼する信号であるコンテンツ再生許可判定信号を出力し、許可された場合に限り、前記コンテンツを再生する再生ステップと、
を含むことを特徴とするコンテンツ再生方法。
【請求項２７】
コンテンツを再生するコンテンツ再生プログラムであって、
前記コンテンツ再生プログラムは、
コンテンツ再生端末装置を一意に特定する識別子である端末識別情報を保持する端末情報保持ステップと、
可搬媒体に対して、前記コンテンツの再生が許可されるか判定を依頼する信号であるコンテンツ再生許可判定信号を出力し、許可された場合に限り、前記コンテンツを再生する再生ステップと、
を含むことを特徴とするコンテンツ再生プログラム。
【請求項２８】
請求項２７に記載のプログラムを記録した媒体。
【請求項２９】
コンテンツを再生するコンテンツ再生端末装置における集積回路であって、
前記コンテンツ再生端末装置は可搬媒体を挿入可能であって、
前記集積回路は、
前記コンテンツ再生端末装置を一意に特定する識別子である端末識別情報を保持する端末情報保持手段と、
前記可搬媒体に対して、前記コンテンツの再生が許可されるか判定を依頼する信号であるコンテンツ再生許可判定信号を出力し、許可された場合に限り、前記コンテンツを再生する再生手段と、
を備えることを特徴とする集積回路。
【請求項３０】
コンテンツを再生するコンテンツ再生システムであって、
前記コンテンツを管理するコンテンツ管理装置と、
前記コンテンツを再生するコンテンツ再生端末装置と、
前記コンテンツ再生端末装置に挿入される可搬媒体と、から構成され、
前記コンテンツ管理装置は、
前記コンテンツと前記コンテンツを再生可能な端末装置の最大数である再生端末装置制限台数を保持するコンテンツ保持手段と、
前記コンテンツを再生可能な一以上の端末情報を記載した端末リストを保持する端末リスト保持手段と、
前記端末リストに含まれる一以上の前記端末情報から構成される部分端末リストを作成し、前記部分端末リストに含まれる前記端末情報に関しては、前記端末リストからの削除を一時的に出来なくする部分端末リスト生成手段と、
前記部分端末リストを外部へ出力するアクセス手段と、
前記端末リストに含まれる前記端末情報の削除する際に、削除が出来なくなっていない場合に限り、前記端末情報を削除する端末リスト更新手段と、
外部へ出力した前記部分端末リストが削除されたことを検知した場合に、前記部分端末リストの中の削除された前記端末情報を、前記端末リストから削除が再度出来るようにするロック情報制御手段と、を備え、
前記コンテンツ再生端末装置は、
前記コンテンツ再生端末装置を一意に特定する識別子である端末識別情報を保持する端末情報保持手段と、
前記可搬媒体に対して、前記コンテンツの再生が許可されるか判定を依頼する信号であるコンテンツ再生許可判定信号を出力し、許可された場合に限り、前記コンテンツを再生する再生手段と、を備え、
前記可搬媒体は、
前記可搬媒体を一意に特定する識別子である媒体識別情報を保持する媒体識別情報保持手段と、
前記コンテンツを保持するコンテンツ保持手段と、
前記コンテンツを再生可能な一以上の端末情報を記載した部分端末リストを保持する部分端末リスト保持手段と、
前記コンテンツ再生端末装置を一意に特定する識別子である端末識別子、及び前記部分端末リストをもとに、前記コンテンツ再生端末装置で前記コンテンツの再生を許可するか否かを判定する再生条件判定手段と、を備える、
ことを特徴とするコンテンツ再生システム。
【発明の詳細な説明】
【技術分野】
【０００１】
本発明は、映画や音楽などの著作物であるコンテンツのディジタル化データを再生するシステムに関し、特にコンテンツを再生可能な機器の台数を制限させることにより、コンテンツ著作権を保護出来るコンテンツ再生技術に関する。
【背景技術】
【０００２】
近年、マルチメディア関連技術の発展、大容量記録媒体の出現等を背景として、動画、音声等からなるデジタルコンテンツ（以下、コンテンツ）を生成して、光ディスク等の大容量記録媒体に格納して配布する、あるいはネットワークや放送を介して配信するシステムが登場している。
【０００３】
これまでは、大容量記録媒体やネットワーク、放送を介して配信されたコンテンツは、コンテンツホルダーの著作権を保護する目的で、技術的に一切コピーが出来ないようにされるのが一般的であった。しかし、ユーザが自由にコピーを出来ないと、利便性が低くなるので、コンテンツ提供サービスが広がらない可能性がある。そこで今後は、コンテンツホルダーの指定する台数の再生機器に限っては、コンテンツの再生を許可するようなコンテンツ提供サービスが広がっていくと考えられる。以後、指定される台数の再生機器に限っては再生が許されるコンテンツを、台数制限付きコンテンツと呼ぶ。
【０００４】
そのようなサービスを実現するにあたって、例えば全ての再生機器がサーバとネットワークで接続されているプラットフォームにおいては、リアルタイムにサーバと再生機器が通信可能であるため、台数制限付きコンテンツを実現することは容易である。例えば、サーバが制限台数以内の端末情報を記載した端末リストを管理し、それに基づき再生機器へコンテンツを配布すればよい。しかし、再生機器とサーバがネットワークで接続されていない場合は、リアルタイム通信が出来ないので、台数制限付きコンテンツを実現することは難しい。そのような課題に対し、特許文献１では、記録媒体を用いて、グループ内でコンテンツを貸し借り出来るシステムが開示されている。
【特許文献１】特開２００５−１４９２３４号公報
【発明の開示】
【発明が解決しようとする課題】
【０００５】
しかし特許文献１では、再生機器がサーバとネットワークで接続されていない場合に、コンテンツのコピー回数を制限する概念は記載されているが、具体的な実現方法は開示されていない。
【０００６】
例えば、再生機器がサーバとネットワークで接続されていないオフライン機器の場合、可搬媒体等を介してデータのやり取りすることになる。この場合、リアルタイム通信が出来ず、情報到達にタイムラグが生じるので、サーバは台数制限を正確に管理出来なくなる。例えば先と同じようにし、可搬媒体には端末リストの一部がコピーされ、その可搬媒体を使ってコンテンツを配布するようにしたとする。しかし、可搬媒体へ端末リストがコピーされた後に、サーバの端末リストの中から可搬媒体にコピーした端末リストに載っている端末情報を削除し、新たに可搬媒体にコピーした端末リストに載っていない端末情報をサーバの端末リストに追加することで、制限台数以上のオフライン機器とコンテンツが共有されてしまう。これでは著作権が保護されない。
【０００７】
本発明は、前記課題を解決するもので、サーバと再生機器がネットワークを介して接続されていなくても、コンテンツを再生可能な機器の台数を制限できるコンテンツ再生システムを提供することを目的とする。
【課題を解決するための手段】
【０００８】
上記課題を解決するために、請求項１における発明は、コンテンツを管理するコンテンツ管理装置であって、前記コンテンツと前記コンテンツを再生可能な端末装置の最大数である再生端末装置制限台数を保持するコンテンツ保持手段と、前記コンテンツを再生可能な一以上の端末情報を記載した端末リストを保持する端末リスト保持手段と、前記端末リストに含まれる一以上の前記端末情報から構成される部分端末リストを作成する部分端末リスト生成手段と、前記部分端末リストを外部へ出力するアクセス手段と、外部へ出力した前記部分端末リストに含まれない前記端末情報に限り、前記端末情報の削除処理を行う端末リスト更新手段と、外部へ出力した前記部分端末リストが削除されたことを検知した場合に、前記部分端末リストの中の削除された前記端末情報を、前記端末リストから削除が再度出来るようにするロック情報制御手段と、を備えることを特徴とする。
【０００９】
請求項２における発明は、請求項１に記載のコンテンツ管理装置であって、前記コンテンツ管理装置は、さらに、作成した前記部分端末リストに含まれる前記端末情報に対して、前記端末リストから一時的に削除が出来ない期限であるロック状態有効期間情報と、前記コンテンツを再生可能な回数である再生許可回数を生成し、前記ロック状態有効期間情報は前記端末リスト保持手段で保持させ、前記再生許可回数は前記部分端末リストとともに外部へ出力する再生制御情報生成手段と、を備えることを特徴とする。
【００１０】
請求項３における発明は、請求項２に記載のコンテンツ管理装置であって、前記再生制御情報生成手段は、前記コンテンツのコンテンツ種別に依存して、前記ロック状態有効期間情報、及び前記再生許可回数を変える、ことを特徴とする。
【００１１】
請求項４における発明は、請求項３に記載のコンテンツ管理装置であって、前記再生制御情報生成手段は、前記コンテンツ種別のそれぞれに対応する前記ロック状態有効期間情報、及び前記再生許可回数を保持する、ことを特徴とする。
【００１２】
請求項５における発明は、請求項２に記載のコンテンツ管理装置であって、前記再生制御情報生成手段は、前記コンテンツのコンテンツオーナーに依存して、前記ロック状態有効期間情報、及び前記再生許可回数を変える、ことを特徴とする。
【００１３】
請求項６における発明は、請求項５に記載のコンテンツ管理装置であって、前記コンテンツ保持手段は、さらに、前記コンテンツに対応して前記ロック状態有効期間情報、及び前記再生許可回数を保持する、ことを特徴とする。
【００１４】
請求項７における発明は、請求項２に記載のコンテンツ管理装置であって、前記再生制御情報生成手段は、ユーザの選択肢に依存して、前記ロック状態有効期間情報、及び前記再生許可回数を変える、ことを特徴とする。
【００１５】
請求項８における発明は、請求項７に記載のコンテンツ管理装置であって、前記再生制御情報生成手段は、複数の前記ロック状態有効期間情報、及び対応する前記再生許可回数を保持し、何れかをユーザが選択可能である、ことを特徴とする。
【００１６】
請求項９における発明は、請求項１に記載のコンテンツ管理装置であって、前記コンテンツ管理装置は、ネットワークを介してサーバと接続されており、前記サーバから前記コンテンツを購入することが出来る、ことを特徴とする。
【００１７】
請求項１０における発明は、請求項１に記載のコンテンツ管理装置であって、前記アクセス手段は、前記部分端末リストを外部の可搬媒体へ出力すること、を特徴とする。
【００１８】
請求項１１における発明は、コンテンツを管理するコンテンツ管理方法であって、前記コンテンツと前記コンテンツを再生可能な端末装置の最大数である再生端末装置制限台数を保持するコンテンツ保持ステップと、前記コンテンツを再生可能な一以上の端末情報を記載した端末リストを保持する端末リスト保持ステップと、前記端末リストに含まれる一以上の前記端末情報から構成される部分端末リストを作成する部分端末リスト生成ステップと、前記部分端末リストを外部へ出力するアクセスステップと、外部へ出力した前記部分端末リストに含まれない前記端末情報に限り、前記端末情報の削除処理を行う端末リスト更新ステップと、外部へ出力した前記部分端末リストが削除されたことを検知した場合に、前記部分端末リストの中の削除された前記端末情報を、前記端末リストから削除が再度出来るようにするロック情報制御ステップと、を含むことを特徴とする。
【００１９】
請求項１２における発明は、コンテンツを管理するコンテンツ管理プログラムであって、前記コンテンツと前記コンテンツを再生可能な端末装置の最大数である再生端末装置制限台数を保持するコンテンツ保持ステップと、前記コンテンツを再生可能な一以上の端末情報を記載した端末リストを保持する端末リスト保持ステップと、前記端末リストに含まれる一以上の前記端末情報から構成される部分端末リストを作成する部分端末リスト生成ステップと、前記部分端末リストを外部へ出力するアクセスステップと、外部へ出力した前記部分端末リストに含まれない前記端末情報に限り、前記端末情報の削除処理を行う端末リスト更新ステップと、外部へ出力した前記部分端末リストが削除されたことを検知した場合に、前記部分端末リストの中の削除された前記端末情報を、前記端末リストから削除が再度出来るようにするロック情報制御ステップと、を含むことを特徴とする。
【００２０】
請求項１３における発明は、請求項１２に記載のプログラムを記録した媒体である。
【００２１】
請求項１４における発明は、コンテンツを管理するコンテンツ管理装置における集積回路であって、前記コンテンツ管理装置は、一以上の端末情報から構成される部分端末リストを外部へ出力するアクセス手段と、を備え、前記集積回路は、前記コンテンツと前記コンテンツを再生可能な端末装置の最大数である再生端末装置制限台数を保持するコンテンツ保持手段と、前記コンテンツを再生可能な一以上の端末情報を記載した端末リストを保持する端末リスト保持手段と、前記端末リストに含まれる一以上の前記端末情報から構成される前記部分端末リストを作成する部分端末リスト生成手段と、外部へ出力した前記部分端末リストに含まれない前記端末情報に限り、前記端末情報の削除処理を行う端末リスト更新手段と、外部へ出力した前記部分端末リストが削除されたことを検知した場合に、前記部分端末リストの中の削除された前記端末情報を、前記端末リストから削除が再度出来るようにするロック情報制御手段と、を備えることを特徴とする。
【００２２】
請求項１５における発明は、コンテンツを再生するコンテンツ再生端末装置に挿入される可搬媒体であって、前記可搬媒体を一意に特定する識別子である媒体識別情報を保持する媒体識別情報保持手段と、前記コンテンツを保持するコンテンツ保持手段と、前記コンテンツを再生可能な一以上の端末情報を記載した部分端末リストを保持する部分端末リスト保持手段と、前記コンテンツ再生端末装置を一意に特定する識別子である端末識別子、及び前記部分端末リストをもとに、前記コンテンツ再生端末装置で前記コンテンツの再生を許可するか否かを判定する再生条件判定手段と、を備えることを特徴とする。
【００２３】
請求項１６における発明は、請求項１５に記載の可搬媒体であって、前記可搬媒体は、さらに、前記コンテンツ再生端末装置で前記コンテンツを再生可能な残り回数である再生許可回数を保持する再生制御情報保持手段と、前記コンテンツ再生端末装置で前記コンテンツを再生する度に、前記再生許可回数を１減らす再生制御情報更新手段と、を備えることを特徴とする。
【００２４】
請求項１７における発明は、請求項１５記載の可搬媒体であって、前記可搬媒体は、さらに、前記コンテンツ再生端末装置において、前記コンテンツ保持手段で保持する前記コンテンツが存在しない場合に、前記コンテンツを前記コンテンツ再生端末装置へ出力するコンテンツコピー処理手段と、を備えることを特徴とする。
【００２５】
請求項１８における発明は、コンテンツ再生端末装置におけるコンテンツ再生許可を判定するコンテンツ再生許可判定方法であって、前記可搬媒体を一意に特定する識別子である媒体識別情報を保持する媒体識別情報保持ステップと、前記コンテンツを保持するコンテンツ保持ステップと、前記コンテンツを再生可能な一以上の端末情報を記載した部分端末リストを保持する部分端末リスト保持ステップと、前記コンテンツ再生端末装置を一意に特定する識別子である端末識別子、及び前記部分端末リストをもとに、前記コンテンツ再生端末装置で前記コンテンツの再生を許可するか否かを判定する再生条件判定ステップと、を含むことを特徴とする。
【００２６】
請求項１９における発明は、コンテンツ再生端末装置におけるコンテンツ再生許可を判定するコンテンツ再生許可判定プログラムであって、前記コンテンツ再生許可判定プログラムは、可搬媒体を一意に特定する識別子である媒体識別情報を保持する媒体識別情報保持ステップと、コンテンツを保持するコンテンツ保持ステップと、前記コンテンツを再生可能な一以上の端末情報を記載した部分端末リストを保持する部分端末リスト保持ステップと、前記コンテンツ再生端末装置を一意に特定する識別子である端末識別子、及び前記部分端末リストをもとに、前記コンテンツ再生端末装置で前記コンテンツの再生を許可するか否かを判定する再生条件判定ステップと、を含むことを特徴とする。
【００２７】
請求項２０における発明は、請求項１９に記載のプログラムを記録した媒体である。
【００２８】
請求項２１における発明は、コンテンツを再生するコンテンツ再生端末装置に挿入される可搬媒体における集積回路であって、前記可搬媒体を一意に特定する識別子である媒体識別情報を保持する媒体識別情報保持手段と、前記コンテンツを保持するコンテンツ保持手段と、前記コンテンツを再生可能な一以上の端末情報を記載した部分端末リストを保持する部分端末リスト保持手段と、前記コンテンツ再生端末装置を一意に特定する識別子である端末識別子、及び前記部分端末リストをもとに、前記コンテンツ再生端末装置で前記コンテンツの再生を許可するか否かを判定する再生条件判定手段と、を備えることを特徴とする。
【００２９】
請求項２２における発明は、コンテンツを再生するコンテンツ再生端末装置であって、前記コンテンツ再生端末装置は可搬媒体を挿入可能であって、前記コンテンツ再生端末装置は、前記コンテンツ再生端末装置を一意に特定する識別子である端末識別情報を保持する端末情報保持手段と、前記可搬媒体に対して、前記コンテンツの再生が許可されるか判定を依頼する信号であるコンテンツ再生許可判定信号を出力し、許可された場合に限り、前記コンテンツを再生する再生手段と、を備えることを特徴とする。
【００３０】
請求項２３における発明は、請求項２２に記載のコンテンツ再生端末装置であって、前記コンテンツ再生端末装置は、さらに、前記コンテンツを保持するコンテンツ保持手段と、を備えることを特徴とする。
【００３１】
請求項２４における発明は、請求項２３に記載のコンテンツ再生端末装置であって、前記コンテンツ再生端末装置は、ネットワークに接続されていないこと、を特徴とする。
【００３２】
請求項２５における発明は、請求項２２に記載のコンテンツ再生端末装置であって、前記コンテンツは、音声コンテンツもしくは動画コンテンツであること、を特徴とする。
【００３３】
請求項２６における発明は、コンテンツを再生するコンテンツ再生方法であって、前記コンテンツ再生端末装置を一意に特定する識別子である端末識別情報を保持する端末情報保持ステップと、可搬媒体に対して、前記コンテンツの再生が許可されるか判定を依頼する信号であるコンテンツ再生許可判定信号を出力し、許可された場合に限り、前記コンテンツを再生する再生ステップと、を含むことを特徴とする。
【００３４】
請求項２７における発明は、コンテンツを再生するコンテンツ再生プログラムであって、コンテンツ再生端末装置を一意に特定する識別子である端末識別情報を保持する端末情報保持ステップと、可搬媒体に対して、前記コンテンツの再生が許可されるか判定を依頼する信号であるコンテンツ再生許可判定信号を出力し、許可された場合に限り、前記コンテンツを再生する再生ステップと、を含むことを特徴とする。
【００３５】
請求項２８における発明は、請求項２７に記載のプログラムを記録した媒体である。
【００３６】
請求項２９における発明は、コンテンツを再生するコンテンツ再生端末装置における集積回路であって、前記コンテンツ再生端末装置は可搬媒体を挿入可能であって、前記集積回路は、前記コンテンツ再生端末装置を一意に特定する識別子である端末識別情報を保持する端末情報保持手段と、前記可搬媒体に対して、前記コンテンツの再生が許可されるか判定を依頼する信号であるコンテンツ再生許可判定信号を出力し、許可された場合に限り、前記コンテンツを再生する再生手段と、を備えることを特徴とする。
【００３７】
請求項３０における発明は、コンテンツを再生するコンテンツ再生システムであって、前記コンテンツ再生システムは、前記コンテンツを管理するコンテンツ管理装置と、前記コンテンツを再生するコンテンツ再生端末装置と、前記コンテンツ再生端末装置に挿入される可搬媒体と、から構成され、前記コンテンツ管理装置は、前記コンテンツと前記コンテンツを再生可能な端末装置の最大数である再生端末装置制限台数を保持するコンテンツ保持手段と、前記コンテンツを再生可能な一以上の端末情報を記載した端末リストを保持する端末リスト保持手段と、前記端末リストに含まれる一以上の前記端末情報から構成される部分端末リストを作成し、前記部分端末リストに含まれる前記端末情報に関しては、前記端末リストからの削除を一時的に出来なくする部分端末リスト生成手段と、前記部分端末リストを外部へ出力するアクセス手段と、前記端末リストに含まれる前記端末情報の削除する際に、削除が出来なくなっていない場合に限り、前記端末情報を削除する端末リスト更新手段と、外部へ出力した前記部分端末リストが削除されたことを検知した場合に、前記部分端末リストの中の削除された前記端末情報を、前記端末リストから削除が再度出来るようにするロック情報制御手段と、を備え、前記コンテンツ再生端末装置は、前記コンテンツ再生端末装置を一意に特定する識別子である端末識別情報を保持する端末情報保持手段と、前記可搬媒体に対して、前記コンテンツの再生が許可されるか判定を依頼する信号であるコンテンツ再生許可判定信号を出力し、許可された場合に限り、前記コンテンツを再生する再生手段と、を備え、前記可搬媒体は、前記可搬媒体を一意に特定する識別子である媒体識別情報を保持する媒体識別情報保持手段と、前記コンテンツを保持するコンテンツ保持手段と、前記コンテンツを再生可能な一以上の端末情報を記載した部分端末リストを保持する部分端末リスト保持手段と、前記コンテンツ再生端末装置を一意に特定する識別子である端末識別子、及び前記部分端末リストをもとに、前記コンテンツ再生端末装置で前記コンテンツの再生を許可するか否かを判定する再生条件判定手段と、を備える、ことを特徴とする。
【発明の効果】
【００３８】
本発明により、コンテンツを再生可能な機器の台数を制限できるようになる。
【発明を実施するための最良の形態】
【００３９】
以下本発明の実施の形態について、図面を参照しながら説明する。
【００４０】
（実施の形態１）
図１は、本発明の実施の形態１に係るコンテンツ再生システムの全体構成例を示す図である。図１において、コンテンツ再生システムは、コンテンツ管理装置（図１では１）と、複数の可搬媒体（図１では２）と、複数のコンテンツ再生端末装置（図１では３）とから構成される。なお図１では、コンテンツ管理装置を１台（１）、可搬媒体（２）を３個、コンテンツ再生端末装置（３）を３台示しているが、その台数や個数に限るものではない。当然、可搬媒体とコンテンツ再生端末装置が異なる数存在してもよい。
【００４１】
コンテンツ管理装置１は、台数制限付きコンテンツを管理する端末であり、例えば家庭内に存在する家庭内サーバである。コンテンツ管理装置１は、インターネットに接続され、インターネット経由で台数制限付きの有料コンテンツを購入することが出来る。また、台数制限付きコンテンツのそれぞれに対して、どのコンテンツ再生端末装置３に再生を許可しているかを管理する。コンテンツ管理装置１は、具体的には、パーソナルコンピュータやデジタルテレビ、携帯電話等である。可搬媒体２は、コンテンツ管理装置１とコンテンツ再生端末装置３との間で、台数制限付きコンテンツの受け渡しに用いられる記録媒体である。また、コンテンツ再生端末装置３による台数制限付きコンテンツの再生を許可するかどうかを判断する役割も持つ。可搬媒体２は、具体的にはＩＣカード（Ｉｎｔｅｇｒａｔｅｄ  Ｃｉｒｃｕｉｔ  Ｃａｒｄ）やＳＤカード（Ｓｅｃｕｒｅ  Ｄｉｇｉｔａｌ  Ｃａｒｄ）、ｓｍａｒｔＳＤカード等である。コンテンツ再生端末装置３は、可搬媒体２経由で受け取った台数制限付きコンテンツを再生出来る装置である。例えば、ハードディスクレコーダやミュージックコンポ、専用携帯端末等である。
【００４２】
＜コンテンツ管理装置１の構成＞
図２は、本発明の実施の形態１に係るコンテンツ管理装置１の構成を示すブロック図である。図２において、コンテンツ管理装置１は、コンテンツ保持部１１と、端末リスト保持部１２と、端末リスト更新部１３と、ユーザ入出力部１４と、部分端末リスト生成部１５と、再生制御情報生成部１６と、ロック情報制御部１７と、可搬媒体アクセス部１８とを含む。以下、それぞれの構成要素について説明する。
【００４３】
（１）コンテンツ保持部１１
コンテンツ保持部１１は、コンテンツ再生端末装置３で再生可能な台数制限付きコンテンツ及びその関連情報を保持する。具体的には、台数制限付きコンテンツを一意に特定する識別子であるコンテンツ識別子ＣＩＤと、コンテンツの種別を表すコンテンツ種別ＣＬＳと、コンテンツデータＣＤＴと、コンテンツを再生可能なコンテンツ再生端末装置３の最大台数である再生端末装置制限台数ＮＭＣの組を保持する。コンテンツ種別ＣＬＳにおいて、“１”は音楽コンテンツ、“２”は動画コンテンツを表す。図３では、コンテンツ保持部１１の一例を示している。図３では、コンテンツ識別子ＣＩＤが“ｃ１”のコンテンツは、音楽コンテンツ（コンテンツ種別ＣＬＳ＝“１”）であり、コンテンツデータＣＤＴは００１０１１・・・・・であり、最大２台のコンテンツ再生端末装置３まで再生が可能な状態を示している。また、コンテンツ識別子ＣＩＤが“ｃ２”のコンテンツは、音楽コンテンツ（コンテンツ種別ＣＬＳ＝“１”）であり、コンテンツデータＣＤＴは１１１００１・・・・・であり、最大１台のコンテンツ再生端末装置３しか再生が出来ない状態を示す。コンテンツ識別子ＣＩＤが“ｃ３”のコンテンツは、動画コンテンツ（コンテンツ種別ＣＬＳ＝“２”）であり、コンテンツデータＣＤＴは１１１１００・・・・・であり、最大３台のコンテンツ再生端末装置３まで再生が可能な状態を示す。これら制限付きコンテンツに関するデータに関しては、予めネットワーク等を経由して、ユーザがそのコンテンツを購入しており、コンテンツ保持部１１へ格納されているとする。
【００４４】
（２）端末リスト保持部１２
端末リスト保持部１２は、コンテンツ保持部１１で保持している台数制限付きコンテンツに対して、再生を許可にしているコンテンツ再生端末装置３に関連する情報を保持する。具体的には、台数制限付きコンテンツを一意に特定する識別子であるコンテンツ識別子ＣＩＤと、その台数制限付きコンテンツに対して再生を許可にしているコンテンツ再生端末装置３を一意に特定する識別子である端末識別子ＴＩＤと、その台数制限付きコンテンツに対して再生を許可しているコンテンツ再生端末装置３の登録を削除出来る状態かどうかを示すロック状態情報ＬＣＫと、再生を許可しているコンテンツ再生端末装置３の登録が削除出来ない状態が続く期間を表すロック状態有効期間情報ＬＭＴと、その台数制限付きコンテンツの再生許可をコンテンツ再生端末装置３に与える権限を保持する可搬媒体を一意に特定する媒体識別子ＭＩＤの組を保持する。ここで、ロック状態情報ＬＣＫが“１”の場合、コンテンツ再生端末装置３の登録を削除することが出来ないロックされている状態とし、ロック状態情報ＬＣＫが“０”の場合、コンテンツ再生端末装置３の登録を削除することが出来るロックが解除されている状態とする。また、ロック状態有効期間情報ＬＭＴは秒表記であるとし、ロック状態が無効となる残り秒数とする。図４では、端末リスト保持部１２の一例を示している。図４では、コンテンツ識別子ＣＩＤが“ｃ１”のコンテンツは、端末識別子ＴＩＤが“ｔ１”のコンテンツ再生端末と“ｔ２”のコンテンツ再生端末３に対して、再生が許可されている状態を表す。そのうち、端末識別子ＴＩＤが“ｔ１”のコンテンツ再生端末３に関しては、登録が削除出来ない状態（ＬＣＫ＝１）であり、そのロックの有効期間が残り８６４００秒（ＬＭＴ＝８６４００）で、媒体識別子ＭＩＤが“ｍ１”の可搬媒体が再生許可を与える権限を保持していることを示す。一方、端末識別子ＴＩＤが“ｔ２”のコンテンツ再生端末３に関しては、登録が削除出来る状態（ＬＣＫ＝０）であることを示す。また、コンテンツ識別子ＣＩＤが“ｃ２”のコンテンツに関しては、未登録であるため、どのコンテンツ再生端末３に対しても、再生が許可されていない状態を示す。さらに、コンテンツ識別子ＣＩＤが“ｃ３”のコンテンツに関しては、端末識別子ＴＩＤが“ｔ１”のコンテンツ再生端末３に対してのみ、再生が許可されており、登録が削除出来る状態（ＬＣＫ＝０）であることを表している。
【００４５】
（３）端末リスト更新部１３
端末リスト更新部１３は、外部（例えばユーザ）から、コンテンツ保持部１１で保持する台数制限付きコンテンツに対して再生を許可するコンテンツ再生端末装置３の新規登録や登録削除を受付け、その結果を端末リスト保持部１２の情報に反映させる。以下では、再生を許可するコンテンツ再生端末装置３を新規登録する場合と、再生を許可するコンテンツ再生端末装置３の登録を削除する場合とに分けて、それぞれの挙動を説明する。
【００４６】
＜再生を許可するコンテンツ再生端末装置３を新規登録する場合＞
外部からユーザ入出力部１４経由で、コンテンツ再生端末装置３の新規登録依頼を受けた場合、まず新規登録を行いたい台数制限付きコンテンツのコンテンツ識別子ＣＩＤが入力される。そして、コンテンツ保持部１１から、入力されたコンテンツ識別子ＣＩＤに対応する再生端末装置制限台数ＮＭＣを取得する。続いて、端末リスト保持部１２において、入力されたコンテンツ識別子ＣＩＤに対して登録されているコンテンツ再生端末装置識別子ＴＩＤの個数である登録再生端末装置台数ＮＭＲを計算する。そして、登録再生端末装置台数ＮＭＲと再生端末装置制限台数ＮＭＣを比較する。もし登録再生端末装置台数ＮＭＲと再生端末装置制限台数ＮＭＣが等しい場合、登録台数が最大であり、これ以上新規登録は出来ない状態であるので、ユーザ入出力部１４経由で外部に対して、新規登録不可である旨を通知し、終了する。もし登録再生端末装置台数ＮＭＲが再生端末装置制限台数ＮＭＣよりも小さい場合、登録台数にまだ余裕があり、新規登録が出来る状態であるので、次のステップに進む。次に、外部からユーザ入出力部１４経由で、新規登録したいコンテンツ再生端末装置３の端末識別子ＴＩＤが入力される。そして、端末リスト保持部１２で保持する情報に対して、最初に入力されたコンテンツ識別子ＣＩＤに対応させて、入力された端末識別子ＴＩＤを追加で登録する。その際、対応するロック状態情報ＬＣＫに関しては、初期値として“０”（登録削除が可能）を設定する。以上で、再生を許可するコンテンツ再生端末装置３の新規登録の作業は全てである。
【００４７】
＜再生を許可するコンテンツ再生端末装置３の登録を削除する場合＞
外部からユーザ入出力部１４経由で、コンテンツ再生端末装置３の登録の削除依頼を受けた場合、まず登録の削除を行いたい台数制限付きコンテンツのコンテンツ識別子ＣＩＤが入力される。次に、外部からユーザ入出力部１４経由で、登録を削除したいコンテンツ再生端末装置３の端末識別子ＴＩＤが入力される。そして、端末リスト保持部１２で保持する情報において、入力されたコンテンツ識別子ＣＩＤと端末識別子ＴＩＤに対応するロック状態情報ＬＣＫを取得する。ロック状態情報ＬＣＫが“１”の場合、削除が不可な状態であるので、ユーザ入出力部１４経由で外部に対して、削除不可である旨を通知し、終了する。ロック状態情報ＬＣＫが“０”の場合、削除が可能な状態であるので、入力されたコンテンツ識別子ＣＩＤに対して、入力された端末識別子ＴＩＤと対応するロック状態情報ＬＣＫを削除する。以上で、再生を許可するコンテンツ再生端末装置３の削除の作業は全てである。
【００４８】
（４）ユーザ入出力部１４
ユーザ入出力部１４は、外部からの入力情報をコンテンツ管理装置１の各構成要素へ出力したり、コンテンツ管理装置１の各構成要素からの出力情報を外部へ表示したりする。例えば、ユーザ入出力部１４は、キーボードやマウス、ディスプレイと接続される。
【００４９】
（５）部分端末リスト生成部１５
部分端末リスト生成部１５は、台数制限付きコンテンツの再生許可を与える権限を保持していることを示す部分端末リストを生成し、可搬媒体へ出力する。外部からユーザ入出力部１４経由で、部分端末リストの生成依頼を受けた場合、まずコンテンツ再生端末装置３で再生させたい台数制限付きコンテンツのコンテンツ識別子ＣＩＤが入力される。次に、コンテンツ識別子ＣＩＤに対応する台数制限付きコンテンツを再生させたいコンテンツ再生端末装置３の端末識別子ＴＩＤが入力される。そして、コンテンツ識別子ＣＩＤと端末識別子ＴＩＤがセットで、可搬媒体アクセス部１８経由で、コンテンツ管理装置１に装着されている可搬媒体２の部分端末リスト保持部２３へ出力される。続いて、可搬媒体アクセス部１８経由で、コンテンツ管理装置１に装着されている可搬媒体２の媒体識別情報保持部２１から、媒体識別子ＭＩＤを取得する。そして、端末リスト保持部１２へアクセスし、入力されたコンテンツ識別子ＣＩＤと端末識別子ＴＩＤに対応するロック状態情報ＬＣＫの値を“１”に更新する。また、入力されたコンテンツ識別子ＣＩＤと端末識別子ＴＩＤに対応する媒体識別子ＭＩＤの値を、可搬媒体の媒体識別情報保持部２１から取得された値に更新する。
【００５０】
（６）再生制御情報生成部１６
再生制御情報生成部１６は、部分端末リスト生成部１５で部分端末リストが生成された後に、再生を許可しているコンテンツ再生端末装置３の登録が削除出来ない期限であるロック状態有効期間情報ＬＭＴと、可搬媒体２がコンテンツ再生端末３に対して、台数制限付きコンテンツの再生を許可する回数である再生許可回数ＮＭＰを設定する。このロック状態有効期間情報ＬＭＴと再生許可回数ＮＭＰの値に関しては、台数制限付きコンテンツのコンテンツ種別ＣＬＳによって予め複数の選択肢が決まっている。コンテンツ種別ＣＬＳが“１”（音楽コンテンツ）に関しては、“選択肢Ａ：再生許可回数ＮＭＰ＝１０（１０回）、ロック状態有効期間情報ＬＭＴ＝８６４００（１日）”、“選択肢Ｂ：再生許可回数ＮＭＰ＝１００（１００回）、ロック状態有効期間情報ＬＭＴ＝２５９２０００（１ヶ月）”、“選択肢Ｃ：再生許可回数ＮＭＰ＝１０００（１０００回）、ロック状態有効期間情報ＬＭＴ＝３１１０４０００（１年）”が予め与えられ、コンテンツ種別ＣＬＳが“２”（動画コンテンツ）に関しては、“選択肢Ａ：再生許可回数ＮＭＰ＝１（１回）、ロック状態有効期間情報ＬＭＴ＝８６４００（１日）”、“選択肢Ｂ：再生許可回数ＮＭＰ＝１０（１０回）、ロック状態有効期間情報ＬＭＴ＝２５９２０００（１ヶ月）”、“選択肢Ｃ：再生許可回数ＮＭＰ＝１００（１００回）、ロック状態有効期間情報ＬＭＴ＝３１１０４０００（１年）”が予め与えられる。外部からユーザ入出力部１４経由で、部分端末リスト生成部１５で生成した部分端末リストに含まれる台数制限付きコンテンツのコンテンツ種別ＣＬＳに対応した選択肢の中から、好きな選択肢を選択できる。ここで選択された再生許可回数ＮＭＰを、部分端末リスト生成部１５で生成した部分端末リストに含まれる台数制限付きコンテンツのコンテンツ識別子ＣＩＤと対応させて、可搬媒体アクセス部１８経由でコンテンツ管理装置１に装着されている可搬媒体２の再生制御情報保持部２４へ格納する。また、選択されたロック状態有効期間情報ＬＭＴを、部分端末リスト生成部１５で生成した部分端末リストに含まれる台数制限付きコンテンツのコンテンツ識別子ＣＩＤと端末識別子ＴＩＤと対応させて、端末リスト保持部１２へ格納する。
【００５１】
（７）ロック情報制御部１７
ロック情報制御部１７は、タイマーを保持し、端末リスト保持部１２のロック状態有効期間情報ＬＭＴを管理する。具体的には、例えば１秒に１回、全てのロック状態有効期間情報ＬＭＴから１を減算する。そして、ロック状態有効期間情報ＬＭＴが０となったものがあったら、有効期間が過ぎたと判断し、対応するロック状態情報ＬＣＫを“１”から“０”に更新する。
【００５２】
またロック情報制御部１７は、コンテンツ管理装置１に可搬媒体２が装着されたことを検知したら、可搬媒体２の状態を確認し、その結果により端末リスト保持部１２の情報を更新する。具体的には、可搬媒体アクセス部１８経由でコンテンツ管理装置１に装着されている可搬媒体２の媒体識別情報保持部２１から媒体識別子ＭＩＤを取得する。続いて、取得した媒体識別子ＭＩＤが、端末リスト保持部１２の中に含まれるかを確認する。ここで含まれていない場合、終了する。もし含まれていたら、含まれている媒体識別子ＭＩＤに対応するコンテンツ識別子ＣＩＤと端末識別子ＴＩＤを取得する。そして、可搬媒体アクセス部１８経由でコンテンツ管理装置１に装着されている可搬媒体２の部分端末リスト保持部２３にアクセスし、コンテンツ識別子ＣＩＤと端末識別子ＴＩＤの組が含まれているか確認する。ここで含まれていたら、終了する。もし含まれていなかったら、端末リスト保持部１２の中のコンテンツ識別子ＣＩＤと端末識別子ＴＩＤに対応するロック状態情報ＬＣＫを“０”に更新する。
【００５３】
（８）可搬媒体アクセス部１８
可搬媒体アクセス部１８は、コンテンツ管理装置１の各構成要素が、可搬媒体２の各構成要素にアクセスできるものである。例えば、ＩＣカードリーダライタやＳＤカードスロットである。
【００５４】
以上で、コンテンツ管理装置１の構成について説明を行ったが、ここではコンテンツ管理装置１の動作の一例について説明する。ここでは、（ｉ）端末リストにコンテンツ再生端末装置３に関する情報を登録する時の動作、（ii）端末リストからコンテンツ再生端末装置３に関する情報を削除する時の動作、（iii）可搬媒体２に対して部分端末リストと再生制御情報を出力する時の動作、（iv）ロック情報を管理する時の動作、（v）可搬媒体２がコンテンツ管理装置１へ装着された時の動作に分けて説明を行う。
【００５５】
＜（ｉ）端末リストにコンテンツ再生端末装置３に関する情報を登録する時の動作＞
以下、図５のフローチャートを参照しながら、端末リストにコンテンツ再生端末装置３に関する情報を登録する時の動作について説明する。
【００５６】
端末リスト更新部１３は、ユーザ入出力部１４経由で、新規登録を行う台数制限付きコンテンツのコンテンツ識別子ＣＩＤが入力される（ステップＳ１０１）。
【００５７】
端末リスト更新部１３は、コンテンツ保持部１１から、入力されたコンテンツ識別子ＣＩＤに対応する再生端末装置制限台数ＮＭＣを取得する。続いて、端末リスト保持部１２において、入力された台数制限付きコンテンツに対して登録されているコンテンツ再生端末装置３の個数である登録再生端末装置台数ＮＭＲを計算し、その登録再生端末装置台数ＮＭＲと再生端末装置制限台数ＮＭＣを比較する。登録再生端末装置台数ＮＭＲが、再生端末装置制限台数ＮＭＣ未満の場合、ステップＳ１０３へ進む。登録再生端末装置台数ＮＭＲが、再生端末装置制限台数ＮＭＣ未満でない場合、ステップＳ１０５へ進む（ステップＳ１０２）。
【００５８】
端末リスト更新部１３は、ユーザ入出力部１４経由で、新規登録したいコンテンツ再生端末装置３の端末識別子ＴＩＤが入力される（ステップＳ１０３）。
【００５９】
端末リスト更新部１３は、端末リスト保持部１２で保持する情報に対して、最初に入力されたコンテンツ識別子ＣＩＤに対応させて、次に入力された端末識別子ＴＩＤを追記する。また、対応するロック状態情報ＬＣＫに関しては、初期値として“０”（登録削除が可能）を設定し、終了する（ステップＳ１０４）。
【００６０】
端末リスト更新部１３は、ユーザ入出力部１４経由で外部に対して、新規登録不可である旨を通知し、終了する（ステップＳ１０５）。
【００６１】
＜（ii）端末リストからコンテンツ再生端末装置３に関する情報を削除する時の動作＞
以下、図６のフローチャートを参照しながら、端末リストからコンテンツ再生端末装置３に関する情報を削除する時の動作について説明する。
【００６２】
端末リスト更新部１３は、外部からユーザ入出力部１４経由で、登録削除したい台数制限付きコンテンツのコンテンツ識別子ＣＩＤが入力される（ステップＳ１１１）。
【００６３】
端末リスト更新部１３は、外部からユーザ入出力部１４経由で、登録削除したいコンテンツ再生端末装置の端末識別子ＴＩＤが入力される（ステップＳ１１２）。
【００６４】
端末リスト更新部１３は、端末リスト保持部１２から、入力されたコンテンツ識別子ＣＩＤと端末識別子ＴＩＤに対応するロック状態情報ＬＣＫを取得する。ロック状態情報ＬＣＫが“１”の場合、ステップＳ１１５へ進む。ロック状態情報ＬＣＫが“０”の場合、ステップＳ１１４へ進む（ステップＳ１１３）。
【００６５】
端末リスト更新部１３は、入力されたコンテンツ識別子ＣＩＤに対応させて、端末識別子ＴＩＤとロック状態情報ＬＣＫを削除し、終了する（ステップＳ１１４）。
【００６６】
端末リスト更新部１３は、ユーザ入出力部１４経由で外部に対して、削除不可である旨を通知し、終了する（ステップＳ１１５）。
【００６７】
＜（iii）可搬媒体２に対して部分端末リストと再生制御情報を出力する時の動作＞
以下、図７のフローチャートを参照しながら、可搬媒体２に対して部分端末リストと再生制御情報を出力する時の動作について説明する。
【００６８】
部分端末リスト生成部１５は、外部からユーザ入出力部１４経由で、コンテンツ再生端末装置３で再生したい台数制限付きコンテンツのコンテンツ識別子ＣＩＤが入力される（ステップＳ１２１）。
【００６９】
部分端末リスト生成部１５は、外部からユーザ入出力部１４経由で、入力したコンテンツ識別子ＣＩＤに対応する台数制限付きコンテンツを再生させたいコンテンツ再生端末装置３の端末識別子ＴＩＤが入力される（ステップＳ１２２）。
【００７０】
部分端末リスト生成部１５は、コンテンツ識別子ＣＩＤと端末識別子ＴＩＤがセットで、可搬媒体アクセス部１８経由で、可搬媒体２の部分端末リスト保持部２３へ出力される。そして可搬媒体アクセス部１８経由で、コンテンツ管理装置１に装着されている可搬媒体２の媒体識別情報保持部２１から、媒体識別子ＭＩＤを取得する。そして、端末リスト保持部１２へアクセスし、入力されたコンテンツ識別子ＣＩＤと端末識別子ＴＩＤに対応するロック状態情報ＬＣＫの値を“１”に更新する。また、入力されたコンテンツ識別子ＣＩＤと端末識別子ＴＩＤに対応する媒体識別子ＭＩＤの値を、可搬媒体２の媒体識別情報保持部２１から取得された値に更新する（ステップＳ１２３）。
【００７１】
再生制御情報生成部１６は、外部からユーザ入出力部１４経由で、部分端末リスト生成部１５で生成した部分端末リストに含まれる台数制限付きコンテンツのコンテンツ種別ＣＬＳに対応した選択肢の中から、再生許可回数ＮＭＰとロック状態有効期間情報ＬＭＴとが選択される（ステップＳ１２４）。
【００７２】
再生制御情報生成部１６は、選択された再生許可回数ＮＭＰを、部分端末リスト生成部１５で生成した部分端末リストに含まれる台数制限付きコンテンツのコンテンツ識別子ＣＩＤと対応させて、可搬媒体アクセス部１８経由でコンテンツ管理装置１に装着されている可搬媒体２の再生制御情報保持部２４へ格納する（ステップＳ１２５）。
【００７３】
再生制御情報生成部１６は、選択されたロック状態有効期間情報ＬＭＴを、部分端末リスト生成部１５で生成した部分端末リストに含まれる台数制限付きコンテンツのコンテンツ識別子ＣＩＤと端末識別子ＴＩＤと対応させて、端末リスト保持部１２へ格納し、終了する（ステップＳ１２６）。
【００７４】
＜（iv）ロック情報を管理する時の動作＞
以下、図８のフローチャートを参照しながら、ロック情報を管理する時の動作について説明する。
【００７５】
ロック情報制御部１７は、１秒に１回、端末リスト保持部１２へアクセスして、全てのロック状態有効期間情報ＬＭＴから１を減算する（ステップＳ１３１）。
【００７６】
ロック情報制御部１７は、端末リスト保持部１２へアクセスして、ロック状態有効期間情報ＬＭＴの中に０となったものがあるか確認する。０となるものがなかったら、終了する。０となるものがあったら、ステップＳ１３３へ進む（ステップＳ１３２）。
【００７７】
ロック情報制御部１７は、有効期間が過ぎたと判断し、対応するロック状態情報ＬＣＫを“０”に更新し、終了する（ステップＳ１３３）。
【００７８】
＜（v）可搬媒体２がコンテンツ管理装置１へ装着された時の動作＞
以下、図９のフローチャートを参照しながら、可搬媒体２がコンテンツ管理装置１へ装着された時の動作について説明する。
【００７９】
ロック情報制御部１７は、コンテンツ管理装置１に可搬媒体が装着されたことを検知する（ステップＳ１４１）。
【００８０】
ロック情報制御部１７は、可搬媒体アクセス部１８経由でコンテンツ管理装置１に装着されている可搬媒体の媒体識別情報保持部２１から媒体識別子ＭＩＤを取得する（ステップＳ１４２）。
【００８１】
ロック情報制御部１７は、取得した媒体識別子ＭＩＤが、端末リスト保持部１２の中に含まれるかを確認する。ここで含まれていない場合、終了する。含まれていたら、ステップＳ１４４へ進む（ステップＳ１４３）。
【００８２】
ロック情報制御部１７は、含まれている媒体識別子ＭＩＤに対応するコンテンツ識別子ＣＩＤと端末識別子ＴＩＤを取得する。そして、可搬媒体アクセス部１８経由でコンテンツ管理装置１に装着されている可搬媒体２の部分端末リスト保持部２３にアクセスし、コンテンツ識別子ＣＩＤと端末識別子ＴＩＤの組が含まれているか確認する。ここで含まれていたら、終了する。もし含まれていなかったら、ステップＳ１４５へ進む（ステップＳ１４４）。
【００８３】
ロック情報制御部１７は、端末リスト保持部１２の中のコンテンツ識別子ＣＩＤと端末識別子ＴＩＤに対応するロック状態情報ＬＣＫを“０”に更新し、終了する（ステップＳ１４５）。
【００８４】
以上が、コンテンツ再生システムの構成要素であるコンテンツ管理装置１の構成と動作である。尚、端末リスト更新部１３や部分端末リスト生成部１５や再生制御情報生成部１６やロック情報制御部１７等の各機能ブロックは典型的には集積回路であるＬＳＩとして実現されていてもよい。これらは個別に１チップ化されても良いし、一部又は全てを含むように１チップ化されても良い。
【００８５】
ここでは、ＬＳＩとしたが、集積度の違いにより、ＩＣ、システムＬＳＩ、スーパーＬＳＩ、ウルトラＬＳＩと呼称されることもある。
【００８６】
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【００８７】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００８８】
＜可搬媒体２の構成＞
図１０は、本発明の実施の形態１に係る可搬媒体２の構成を示すブロック図である。可搬媒体２は、媒体識別情報保持部２１と、コンテンツ保持部２２と、部分端末リスト保持部２３と、再生制御情報保持部２４と、再生条件判定部２５と、再生制御情報更新部２６と、コンテンツコピー処理部２７と、端末アクセス部２８とを含む。以下、それぞれの構成要素について説明する。
【００８９】
（１）媒体識別情報保持部２１
媒体識別情報保持部２１は、可搬媒体２を一意に識別する識別子である媒体識別子ＭＩＤを保持する。この媒体識別子ＭＩＤは、可搬媒体２の製造時に各媒体固有に書き込まれる値であり、書き換え不可な値である。例えばＳＤカードにおけるメディアＩＤであり、可搬媒体２の１枚ずつに対して、１、２、３・・・と付与していく。
【００９０】
（２）コンテンツ保持部２２
コンテンツ保持部２２は、コンテンツ再生端末装置３で再生可能な台数制限付きコンテンツを保持する。具体的には、台数制限付きコンテンツを一意に特定する識別子であるコンテンツ識別子ＣＩＤと、コンテンツデータＣＤＴの組を複数保持する。図１１では、コンテンツ保持部２２の一例を示している。図１１では、コンテンツ識別子ＣＩＤが“ｃ１”のコンテンツのコンテンツデータＣＤＴは００１０１１・・・・・であり、コンテンツ識別子ＣＩＤが“ｃ２”のコンテンツのコンテンツデータＣＤＴは１１１００１・・・・・であり、コンテンツ識別子ＣＩＤが“ｃ３”のコンテンツのコンテンツデータＣＤＴは１１１１００・・・・・である状態を示す。
【００９１】
（３）部分端末リスト保持部２３
部分端末リスト保持部２３は、コンテンツ保持部２２で保持している台数制限付きコンテンツに対して、再生を許可にしているコンテンツ再生端末装置３に関連する情報を保持する。具体的には、台数制限付きコンテンツを一意に特定する識別子であるコンテンツ識別子ＣＩＤと、その台数制限付きコンテンツに対して再生を許可しているコンテンツ再生端末装置を一意に特定する識別子である端末識別子ＴＩＤの組を保持する。図１２では、部分端末リスト保持部２３の一例を示している。図１２では、コンテンツ識別子ＣＩＤが“ｃ１”のコンテンツは、端末識別子ＴＩＤが“ｔ１”のコンテンツ再生端末３と“ｔ２”のコンテンツ再生端末３に対して、再生が許可されている状態を表す。また、部分端末リスト保持部２３で保持している情報は、外部（例えばユーザ）からの要求により、書き換えは出来ないが、削除はできる。
【００９２】
（４）再生制御情報保持部２４
再生制御情報保持部２４は、コンテンツ再生端末装置３で許可されている再生回数に関する情報を保持する。具体的には、台数制限付きコンテンツを一意に特定する識別子であるコンテンツ識別子ＣＩＤと、その台数制限付きコンテンツに対して再生が許可されている回数である再生許可回数ＮＭＰの組を保持する。図１３では、再生制御情報保持部２４の一例を示している。図１３では、コンテンツ識別子ＣＩＤが“ｃ１”のコンテンツは、再生が残り１００回（ＮＭＰ＝１００）許可されている状態を表す。
【００９３】
（５）再生条件判定部２５
再生条件判定部２５は、コンテンツ再生端末装置３から再生許可判定信号ＰＪＧを受信した場合、台数制限コンテンツの再生を許可するかどうかを判定し、許可する場合は再生許可信号ＰＯＫを、許可しない場合は再生不許可信号ＰＮＧをコンテンツ再生端末装置３へ出力する。台数制限コンテンツの再生を許可するかどうかは、以下のようにして判定する。まず、再生許可判定信号ＰＪＧと共に受信する端末識別子ＴＩＤとコンテンツ識別子ＣＩＤのペアに関して、部分端末リスト保持部２３に含まれるかどうかを確認する。再生許可判定信号ＰＪＧと共に受信した端末識別子ＴＩＤとコンテンツ識別子ＣＩＤのペアが、部分端末リスト保持部２３に含まれていない場合は、再生不許可信号ＰＮＧをコンテンツ再生端末装置３へ出力し、終了する。再生許可判定信号ＰＪＧと共に受信した端末識別子ＴＩＤとコンテンツ識別子ＣＩＤのペアが、部分端末リスト保持部２３に含まれている場合は、再生制御情報保持部２４から、再生許可判定信号ＰＪＧと共に受信したコンテンツ識別子ＣＩＤに対応する再生許可回数情報ＮＭＰを取得する。そして、その再生許可回数情報ＮＭＰが１以上である場合、コンテンツ識別子ＣＩＤと再生許可回数減算信号ＮＤＣを再生制御情報更新部２６へ出力し、そして再生許可信号ＰＯＫをコンテンツ再生端末装置へ出力する。以上である。
【００９４】
（６）再生制御情報更新部２６
再生制御情報更新部２６は、再生条件判定部２５からコンテンツ識別子ＣＩＤと再生許可回数減算信号ＮＤＣを入力された場合、再生制御情報保持部２４にアクセスし、コンテンツ識別子ＣＩＤに対応する再生許可回数情報ＮＭＰから１を減算する。例えば、再生許可回数情報ＮＭＰが１００のときに、再生許可回数減算信号ＮＤＣが入力されたら、再生許可回数情報ＮＭＰは９９となる。
【００９５】
（７）コンテンツコピー処理部２７
コンテンツコピー処理部２７は、可搬媒体２がコンテンツ再生端末装置３に挿入されたことを検知したら、可搬媒体２のコンテンツ保持部２２に含まれていて、コンテンツ再生端末装置３のコンテンツ保持部３２に含まれていないコンテンツがないか確認する。ここで可搬媒体２のコンテンツ保持部２２に含まれているコンテンツが、全てコンテンツ再生端末装置３のコンテンツ保持部３２に含まれている場合、特になにもしない。もしコンテンツ再生端末装置３のコンテンツ保持部３２に含まれていないコンテンツが、可搬媒体２のコンテンツ保持部２２に含まれていたら、そのコンテンツ識別子ＣＩＤとコンテンツデータＣＤＴを、コンテンツ再生端末装置３のコンテンツ保持部３２へ出力する。
【００９６】
（８）端末アクセス部２７
端末アクセス部２７は、コンテンツ管理装置１もしくはコンテンツ再生端末装置３の各要素が、可搬媒体２の各構成要素にアクセスでき、さらに、可搬媒体２の各構成要素がコンテンツ管理装置１もしくはコンテンツ再生端末装置３の各要素にアクセスできるものである。
【００９７】
以上で、可搬媒体２の構成について説明を行った。以後では可搬媒体２の動作の一例について説明する。ここでは、（ｉ）可搬媒体２がコンテンツ再生端末装置３に挿入された時の動作、（ii）コンテンツ再生端末装置３から再生許可判定信号ＰＪＧを受信した時の動作に分けて説明を行う。
【００９８】
＜（ｉ）可搬媒体２がコンテンツ再生端末装置３に挿入された時の動作＞
以下、図１４のフローチャートを参照しながら、可搬媒体２がコンテンツ再生端末装置３に挿入された時の動作について説明する。
【００９９】
コンテンツコピー処理部２７は、可搬媒体２がコンテンツ再生端末装置３に挿入されたことを検知する（ステップＳ２０１）。
【０１００】
コンテンツコピー処理部２７は、コンテンツ再生端末装置３のコンテンツ保持部３２に含まれているコンテンツのコンテンツ識別子ＣＩＤを全て取得する（ステップＳ２０２）。
【０１０１】
コンテンツコピー処理部２７は、可搬媒体２のコンテンツ保持部２２に含まれているコンテンツのコンテンツ識別子ＣＩＤを全て取得する（ステップＳ２０３）。
【０１０２】
コンテンツコピー処理部２７は、可搬媒体２から取得されたコンテンツ識別子ＣＩＤの中で、コンテンツ再生端末装置３から取得されたコンテンツ識別子ＣＩＤに含まれないコンテンツ識別子ＣＩＤがないか確認する。含まれていないコンテンツ識別子ＣＩＤがない場合、処理を終了する。含まれていないコンテンツ識別子ＣＩＤがあった場合、ステップＳ２０５へ進む（ステップＳ２０４）。
【０１０３】
コンテンツコピー処理部２７は、含まれてないコンテンツ識別子ＣＩＤとコンテンツデータＣＤＴを、コンテンツ再生端末装置３のコンテンツ保持部３２へ出力し、終了する（ステップＳ２０５）。
【０１０４】
＜（ii）コンテンツ再生端末装置３から再生許可判定信号ＰＪＧを受信した時の動作＞
以下、図１４のフローチャートを参照しながら、コンテンツ再生端末装置３から再生許可判定信号ＰＪＧを受信した時の動作について説明する。
【０１０５】
再生条件判定部２５は、コンテンツ再生端末装置３から再生許可判定信号ＰＪＧと端末識別子ＴＩＤとコンテンツ識別子ＣＩＤを受信する（ステップＳ２１１）。
【０１０６】
再生条件判定部２５は、受信した端末識別子ＴＩＤとコンテンツ識別子ＣＩＤのペアに関して、部分端末リスト保持部２３に含まれるかどうかを確認する。再生許可判定信号ＰＪＧと共に受信した端末識別子ＴＩＤとコンテンツ識別子ＣＩＤのペアが、部分端末リスト保持部２３に含まれていない場合は、ステップＳ２１６へ進む。受信した端末識別子ＴＩＤとコンテンツ識別子ＣＩＤのペアが、部分端末リスト保持部２３に含まれている場合は、ステップＳ２１３へ進む（ステップＳ２１２）。
【０１０７】
再生条件判定部２５は、再生制御情報保持部２４から、再生許可判定信号ＰＪＧと共に受信したコンテンツ識別子ＣＩＤに対応する再生許可回数情報ＮＭＰを取得する。そして、再生許可回数情報ＮＭＰが１以上である場合、ステップＳ２１４へ進む。０である場合、ステップＳ２１６へ進む（ステップＳ２１３）。
【０１０８】
再生条件判定部２５は、コンテンツ識別子ＣＩＤと再生許可回数減算信号ＮＤＣを再生制御情報更新部２６へ出力し、再生制御情報更新部２６は、再生条件判定部２５からコンテンツ識別子ＣＩＤと再生許可回数減算信号ＮＤＣを入力された場合、再生制御情報保持部２４にアクセスし、コンテンツ識別子ＣＩＤに対応する再生許可回数情報ＮＭＰから１を減算する（ステップＳ２１４）。
【０１０９】
再生条件判定部２５は、再生許可信号ＰＯＫをコンテンツ再生端末装置へ出力し、終了する（ステップＳ２１５）。
【０１１０】
再生条件判定部２５は、再生不許可信号ＰＮＧをコンテンツ再生端末装置へ出力し、終了する（ステップＳ２１６）。
【０１１１】
以上が、コンテンツ再生システムの構成要素である可搬媒体２の構成と動作である。尚、再生条件判定部２５や再生制御情報更新部２６等の各機能ブロックは典型的には集積回路であるＬＳＩとして実現されていてもよい。これらは個別に１チップ化されても良いし、一部又は全てを含むように１チップ化されても良い。
【０１１２】
ここでは、ＬＳＩとしたが、集積度の違いにより、ＩＣ、システムＬＳＩ、スーパーＬＳＩ、ウルトラＬＳＩと呼称されることもある。
【０１１３】
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０１１４】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０１１５】
＜コンテンツ再生端末装置３の構成＞
図１６は、本発明の実施の形態１に係るコンテンツ再生端末装置３の構成を示すブロック図である。コンテンツ再生端末装置３は、端末情報保持部３１と、コンテンツ保持部３２と、ユーザ入出力部３３と、可搬媒体アクセス部３４と、再生処理部３５とを含む。以下、それぞれの構成要素について説明する。
【０１１６】
（１）端末情報保持部３１
端末情報保持部３１は、コンテンツ再生端末装置３を一意に識別する識別子である端末識別子ＴＩＤを保持する。この端末識別子ＴＩＤは、コンテンツ再生端末装置３の製造時に各端末固有に書き込まれる値であり、書き換え不可な値である。例えば、コンテンツ再生端末装置３の１台ずつに対して、１、２、３・・・と付与していく。
【０１１７】
（２）コンテンツ保持部３２
コンテンツ保持部３２は、コンテンツ再生端末装置３で再生可能な台数制限付きコンテンツを保持する。具体的には、台数制限付きコンテンツを一意に特定する識別子であるコンテンツ識別子ＣＩＤと、コンテンツデータＣＤＴの組を保持する。図１７では、コンテンツ保持部３２の一例を示している。図１７では、コンテンツ識別子ＣＩＤが“ｃ１”のコンテンツのコンテンツデータＣＤＴは００１０１１・・・・・であり、コンテンツ識別子ＣＩＤが“ｃ２”のコンテンツのコンテンツデータＣＤＴは１１１００１・・・・・であり、コンテンツ識別子ＣＩＤが“ｃ３”のコンテンツのコンテンツデータＣＤＴは１１１１００・・・・・である状態を示す。
【０１１８】
（３）ユーザ入出力部３３
ユーザ入出力部３３は、外部（例えばユーザ）からの入力情報をコンテンツ再生端末装置３の各構成要素へ出力したり、コンテンツ再生端末装置３の各構成要素からの出力情報を外部へ表示したりする。例えば、ユーザ入出力部３３は、キーボードやマウス、ディスプレイと接続される。
【０１１９】
（４）可搬媒体アクセス部３４
可搬媒体アクセス３４は、コンテンツ再生端末装置３が、可搬媒体の各構成要素にアクセスできるものである。例えば、ＩＣカードリーダライタやＳＤカードスロットである。
【０１２０】
（５）再生処理部３５
再生処理部３５は、外部からユーザ入出力部３３経由で、コンテンツ再生要求を受け付ける場合、まず再生するコンテンツのコンテンツ識別子ＣＩＤが入力される。その後、可搬媒体２がコンテンツ再生端末装置３へ挿入されているかどうか確認する。挿入されていない場合は、終了する。挿入されている場合は、次に、端末情報保持部３１から端末情報識別子ＴＩＤを取得する。そして、入力されたコンテンツ識別子ＣＩＤと端末識別子ＴＩＤと再生許可判定信号ＰＪＧを、可搬媒体２へ出力する。その後、再生許可信号ＰＯＫを受信せずに、再生不許可信号ＰＮＧを受信したら、終了する。再生許可信号ＰＯＫを受信したら、コンテンツ保持部３２からコンテンツ識別子ＣＩＤに対応するコンテンツデータＣＤＴを取得し、コンテンツの再生処理を行う。
【０１２１】
以上で、コンテンツ再生端末装置３の構成について説明を行った。ここではコンテンツ再生端末装置３の動作の一例について説明する。ここでは、（ｉ）コンテンツ再生時の動作について説明を行う。
【０１２２】
＜（ｉ）コンテンツ再生の動作＞
以下、図１８のフローチャートを参照しながら、コンテンツ再生時の動作について説明する。
【０１２３】
再生処理部３５は、外部からユーザ入出力部３３経由で、コンテンツ再生要求を受け付けた場合、再生するコンテンツのコンテンツ識別子ＣＩＤが入力される（ステップＳ３０１）。
【０１２４】
再生処理部３５は、可搬媒体２がコンテンツ再生端末装置３へ挿入されているかどうか確認する。挿入されていない場合は、終了する。挿入されている場合は、ステップＳ３０３へ進む（ステップＳ３０２）。
【０１２５】
再生処理部３５は、端末情報保持部３１から端末情報識別子ＴＩＤを取得する。そして、入力されたコンテンツ識別子ＣＩＤと端末識別子ＴＩＤと再生許可判定信号ＰＪＧを、可搬媒体２へ出力する（ステップＳ３０３）。
【０１２６】
再生処理部３５は、再生不許可信号ＰＮＧを受信したら、終了する。再生許可信号ＰＯＫを受信したら、ステップＳ３０５へ進む（ステップＳ３０４）。
【０１２７】
再生処理部３５は、コンテンツ保持部３２からコンテンツ識別子ＣＩＤに対応するコンテンツデータＣＤＴを取得する（ステップＳ３０５）。
【０１２８】
再生処理部３５は、コンテンツデータＣＤＴの再生処理を行う（ステップＳ３０６）。
【０１２９】
以上が、コンテンツ再生システムの構成要素であるコンテンツ再生端末装置３の構成と動作である。
【０１３０】
＜コンテンツ再生システムの効果＞
このように、実施の形態１に係るコンテンツ再生システムでは、コンテンツ管理装置１の端末リストの一部を可搬媒体２へコピーする際に、コピーした一部の端末リストに関しては、コンテンツ管理装置１の端末リストの削除を不可な状態にする。そして、コンテンツ再生端末装置３でのコンテンツ再生が終了した場合には、可搬媒体２の端末リストを削除し、コンテンツ管理装置１の端末リストの削除不可な状態を解除する。具体的には、コンテンツ管理装置１は、可搬媒体２へ端末リストをコピーする際に、コピーする一部の端末リストに対応する、コンテンツ管理装置１の端末リストの削除を出来なくする手段、及び、可搬媒体２から端末リストが削除された際に、コピーされていた端末リストに対応する、コンテンツ管理装置１上の端末リストの削除が再度出来るようにする手段、を備えるようにした。そのようにすることで、制限台数以上の機器でコンテンツが共有されることを防ぐことが出来、著作権が保護される。
【０１３１】
また、端末リスト保持部の端末リストにおける削除不可期間を時限付きにした。それにより、万が一ユーザが可搬媒体３を紛失してしまった場合でも、未来永劫端末リストが削除不可となる状況を避けることが出来、可搬媒体３の紛失対策となる。
【０１３２】
また、端末リスト保持部の端末リストにおける削除不可期間に対応させて、可搬媒体３でのコンテンツ再生可能回数を有限にした。これにより、可搬媒体３はタイマー機能を有していなくても、未来永劫コンテンツが再生されてしまうことを防ぐことが出来る。
【０１３３】
また、端末リスト保持部の端末リストにおける削除不可期間、及び可搬媒体３でのコンテンツ再生可能回数は、コンテンツ種別に依存して決まるようにした。これにより、音楽や動画などの種別に依存させた形で、最適な削除不可期間、及びコンテンツ再生可能回数を設定出来るようになった。
【０１３４】
＜変形例＞
上記に説明した実施の形態は、本発明の実施の形態の一例であり、本発明はこの実施の形態に何ら限定されるものではなく、その旨を逸脱しない範囲において主な態様で実施し得るものである。以下のような場合も本発明に含まれる。
【０１３５】
（１）コンテンツ管理装置１の再生制御情報生成部１６において、ロック状態有効期間情報ＬＭＴと再生許可回数ＮＭＰの値に関しては、台数制限付きコンテンツのコンテンツ種別ＣＬＳによって予め複数の選択肢が決まっているとしていたが、これに限るものではない。例えば、コンテンツ提供者がロック状態有効期間情報ＬＭＴと再生許可回数ＮＭＰの値を決めるようにしてもよい。これは、ユーザが制限台数付きコンテンツを購入する際に、そのコンテンツの付随情報として付加されていてもよい。こうすることにより、コンテンツ提供者の意向をより反映出来るようになる。
【０１３６】
（２）コンテンツ管理装置１は、可搬媒体２が挿入された際に、コンテンツ管理装置１が保持するロック状態有効期間情報ＬＭＴをもとに、可搬媒体２が保持する再生許可回数ＮＭＰを増減させるようにしてもよい。具体的には、例えばロック状態有効期間情報ＬＭＴがほとんど０に近い状態の際に、再生許可回数ＮＭＰが最初与えた状態からほとんど減っていない場合は、再生許可回数ＮＭＰを半分にするようにしてもよい。また逆に、例えばロック状態有効期間情報ＬＭＴがほとんど減っていない状態の際に、再生許可回数ＮＭＰがほとんど０に近い状態の場合は、再生許可回数ＮＭＰを倍にするようにしてもよい。このようにすることにより、ロック状態有効期間情報ＬＭＴと再生許可回数ＮＭＰのバランスを適宜取ることが出来るようになり、コンテンツ提供者側と利用者側の双方にとってメリットが生まれる。
【０１３７】
また、上記と同じことをコンテンツ再生端末装置３が行ってもよい。これは、コンテンツ再生端末装置３がカレンダー機能と時計機能を有すことで実現出来る。例えば、コンテンツ管理装置１は、可搬媒体２に対して再生許可回数ＮＭＰを与える際に、併せてロック状態有効期限情報ＬＭＴ２を与える。ロック状態有効期限情報ＬＭＴ２は、例えば、“２００６年１２月３１日  ２３時５９分５９秒“といったロックが解除される日付と時間に関する情報である。そして、コンテンツ再生端末装置３に可搬媒体２が挿入された際に、コンテンツ再生端末装置３は再生許可回数ＮＭＰとロック状態有効期限情報ＬＭＴ２とを確認する。ここで、例えば、ロック状態有効期限情報ＬＭＴ２と現在の日時が近い状態の際に、再生許可回数ＮＭＰが最初与えた状態からほとんど減っていない場合は、再生許可回数ＮＭＰを半分にするようにしてもよい。また、ロック状態有効期限情報ＬＭＴ２が現在の日時よりも前の場合には、再生許可回数ＮＭＰを０にするようにしてもよい。また逆に、例えばロック状態有効期間情報ＬＭＴが現在の日時からかなり先の状態の際に、再生許可回数ＮＭＰがほとんど０に近い状態の場合は、再生許可回数ＮＭＰを倍にするようにしてもよい。このようにすることにより、再生許可回数ＮＭＰのバランスを適宜取ることが出来るようになり、コンテンツ提供者側と利用者側の双方にとってメリットが生まれる。
【０１３８】
（３）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１３９】
（４）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【０１４０】
（５）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【０１４１】
（６）本発明は、上記に示す方法であるとしてもよい。また、これらの方法をコンピュータにより実現するコンピュータプログラムであるとしてもよいし、前記コンピュータプログラムからなるディジタル信号であるとしてもよい。
【０１４２】
（７）また、本発明は、前記コンピュータプログラムまたは前記ディジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている前記ディジタル信号であるとしてもよい。
【０１４３】
（８）また、本発明は、前記コンピュータプログラムまたは前記ディジタル信号を、電気通信回線、無線または有線通信回線、インターネットを代表とするネットワーク、データ放送等を経由して伝送するものとしてもよい。
【０１４４】
（９）また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【０１４５】
（１０）また、前記プログラムまたは前記ディジタル信号を前記記録媒体に記録して移送することにより、または前記プログラムまたは前記ディジタル信号を前記ネットワーク等を経由して移送することにより、独立した他のコンピュータシステムにより実施するとしてもよい。
【０１４６】
（１１）上記実施の形態及び上記変形例をそれぞれ組み合わせるとしてもよい。
【産業上の利用可能性】
【０１４７】
映画や音楽などの著作物であるコンテンツのディジタル化データを再生するシステムに関し、特にホームネットワーク等でコンテンツを制限付きで共有するような場合に、特に有用である。
【図面の簡単な説明】
【０１４８】
【図１】本発明の実施の形態１に係るコンテンツ再生システムの全体構成例を示す図
【図２】本発明の実施の形態１に係るコンテンツ管理装置１の構成例を示すブロック図
【図３】本発明の実施の形態１に係るコンテンツ管理装置１のコンテンツ保持部１１の構成例を示すブロック図
【図４】本発明の実施の形態１に係るコンテンツ管理装置１の端末リスト保持部１２の構成例を示すブロック図
【図５】本発明の実施の形態１に係るコンテンツ管理装置１において、端末リストにコンテンツ再生端末装置３に関する情報を登録する時の動作例を示すフローチャート
【図６】本発明の実施の形態１に係るコンテンツ管理装置１において、端末リストからコンテンツ再生端末装置３に関する情報を削除する時の動作例を示すフローチャート
【図７】本発明の実施の形態１に係るコンテンツ管理装置１において、可搬媒体２に対して部分端末リストと再生制御情報を出力する時の動作例を示すフローチャート
【図８】本発明の実施の形態１に係るコンテンツ管理装置１において、ロック情報を管理する時の動作例を示すフローチャート
【図９】本発明の実施の形態１に係るコンテンツ管理装置１において、可搬媒体２がコンテンツ管理装置１へ装着された時の動作例を示すフローチャート
【図１０】本発明の実施の形態１に係る可搬媒体２の構成例を示すブロック図
【図１１】本発明の実施の形態１に係る可搬媒体２のコンテンツ保持部２２の構成例を示すブロック図
【図１２】本発明の実施の形態１に係る可搬媒体２の部分端末リスト保持部２３の構成例を示すブロック図
【図１３】本発明の実施の形態１に係る可搬媒体２の再生制御情報保持部２４の構成例を示すブロック図
【図１４】本発明の実施の形態１に係る可搬媒体２において、可搬媒体２がコンテンツ再生端末装置３に挿入された時の動作例を示すフローチャート
【図１５】本発明の実施の形態１に係る可搬媒体２において、コンテンツ再生端末装置３から再生許可判定信号ＰＪＧを受信した時の動作例を示すフローチャート
【図１６】本発明の実施の形態１に係るコンテンツ再生端末装置３の構成例を示すブロック図
【図１７】本発明の実施の形態１に係るコンテンツ再生端末装置３のコンテンツ保持部３２の構成例を示すブロック図
【図１８】本発明の実施の形態１に係るコンテンツ再生端末装置３において、コンテンツ再生時の動作例を示すフローチャート
【符号の説明】
【０１４９】
１    コンテンツ管理装置
２    可搬媒体
３    コンテンツ再生端末装置
１１    コンテンツ保持部
１２    端末リスト保持部
１３    端末リスト更新部
１４    ユーザ入出力部
１５    部分端末リスト生成部
１６    再生制御情報生成部
１７    ロック情報制御部
１８    可搬媒体アクセス部
２１    媒体識別情報保持部
２２    コンテンツ保持部
２３    部分端末リスト保持部
２４    再生制御情報保持部
２５    再生条件判定部
２６    再生制御情報更新部
２７    コンテンツコピー処理部
２８    端末アクセス部
３１    端末情報保持部
３２    コンテンツ保持部
３３    ユーザ入出力部
３４    可搬媒体アクセス部
３５    再生処理部
【図１】
2007299140.tif 000003
【図２】
2007299140.tif 000004
【図３】
2007299140.tif 000005
【図４】
2007299140.tif 000006
【図５】
2007299140.tif 000007
【図６】
2007299140.tif 000008
【図７】
2007299140.tif 000009
【図８】
2007299140.tif 000010
【図９】
2007299140.tif 000011
【図１０】
2007299140.tif 000012
【図１１】
2007299140.tif 000013
【図１２】
2007299140.tif 000014
【図１３】
2007299140.tif 000015
【図１４】
2007299140.tif 000016
【図１５】
2007299140.tif 000017
【図１６】
2007299140.tif 000018
【図１７】
2007299140.tif 000019
【図１８】
2007299140.tif 000020